(57)【要約】【課題】灯具本体を引き出した際に露呈する窪みの深さの抑制を図ることができる照明器具を提供する。【解決手段】照明器具１は、天板５と、灯具本体２と、枠部３１を有する枠体３と、案内部７とを備える。案内部７は、枠部３１の内側に形成される開口３３を通過するように灯具本体２を案内するとともに、天板５を開口３３へ向けて案内する。また、案内部７は、枠部３１によって支持されるとともに、灯具本体２を第１位置と第２位置との間で案内する。灯具本体２は、案内部７によって第１位置と第２位置との間で案内されることにより、開口３３を通過する。天板５は、灯具本体２が第２位置に配置されているとき、開口３３内に配置される。【選択図】図１
2016192329.tif 000002
【特許請求の範囲】
【請求項１】
天板と、
灯具本体と、
枠部を有する枠体と、
前記枠部の内側に形成される開口を通過するように前記灯具本体を案内するとともに、前記天板を前記開口へ向けて案内する案内部と
を備え、
前記案内部は、前記枠部によって支持されるとともに、前記灯具本体を第１位置と第２位置との間で案内し、
前記灯具本体は、前記案内部によって前記第１位置と前記第２位置との間で案内されることにより、前記開口を通過し、
前記天板は、前記灯具本体が前記第２位置に配置されているとき、前記開口内に配置される、照明器具。
【請求項２】
前記灯具本体を傾動可能に支持する一対のアームを有する支持部を更に備える、請求項１に記載の照明器具。
【請求項３】
前記支持部が前記天板と連結されており、
前記案内部は、前記天板を案内することにより、前記灯具本体を案内する、請求項２に記載の照明器具。
【請求項４】
前記天板が、前記支持部を旋回可能に支持する、請求項３に記載の照明器具。
【発明の詳細な説明】
【技術分野】
【０００１】
本発明は、照明器具に関する。
【背景技術】
【０００２】
照明器具の一種として、天井に埋め込まれて使用されるダウンライトが知られている。また、ダウンライトの一種として、天井から灯具本体を引き出すことが可能なダウンライトが知られている。
【０００３】
例えば、特許文献１に記載されたダウンライトは、円筒状のケースと、天板と、ガイドと、前面枠とを備える。ケースは、天井に取り付けられて、天井裏において上方に突出する。天板は、灯具本体を懸架支持する。ガイドは、ケースの内壁面に固定されて、天板を鉛直方向にガイドする。前面枠は、ケースの下端部に固定されて、ケース内で上方へ突出する。特許文献１に記載されたダウンライトでは、前面枠の上端が天板の下限ストッパとなる。したがって、天板が前面枠の上端に当接する位置まで灯具本体をケースから引き出すことができる。
【先行技術文献】
【特許文献】
【０００４】
【特許文献１】特開平１１−３３９５１２号公報
【発明の概要】
【発明が解決しようとする課題】
【０００５】
しかしながら、特許文献１に記載された照明器具（ダウンライト）では、天板が、前面枠の上端までしか降下しない。このため、特許文献１に記載された構成を、灯具本体を天井から完全に引き出して使用することが可能な照明器具に採用すると、灯具本体を天井から完全に引き出した場合に、前面枠と天板とによって形成される比較的大きな窪みが天井に露呈する。
【０００６】
本発明は上記課題に鑑みてなされたものであり、その目的は、灯具本体を引き出した際に露呈する窪みの深さ（窪み量）の抑制を図ることができる照明器具を提供することにある。
【課題を解決するための手段】
【０００７】
本願に開示する照明器具は、天板と、灯具本体と、枠部を有する枠体と、案内部とを備える。前記案内部は、前記枠部の内側に形成される開口を通過するように前記灯具本体を案内するとともに、前記天板を前記開口へ向けて案内する。また、前記案内部は、前記枠部によって支持されるとともに、前記灯具本体を第１位置と第２位置との間で案内する。前記灯具本体は、前記案内部によって前記第１位置と前記第２位置との間で案内されることにより、前記開口を通過する。前記天板は、前記灯具本体が前記第２位置に配置されているとき、前記開口内に配置される。
【０００８】
本願に開示する照明器具は、前記灯具本体を傾動可能に支持する一対のアームを有する支持部を更に備えてもよい。
【０００９】
本願に開示する照明器具において、前記支持部は前記天板と連結されていてもよい。この場合、前記案内部は、前記天板を案内することにより、前記灯具本体を案内する。
【００１０】
本願に開示する照明器具において、前記天板は、前記支持部を旋回可能に支持してもよい。
【発明の効果】
【００１１】
本発明によれば、灯具本体を引き出した際に露呈する窪みの深さ（窪み量）の抑制を図ることができる。
【図面の簡単な説明】
【００１２】
【図１】本発明の実施形態に係る照明器具を示す斜視図である。
【図２】本発明の実施形態に係る照明器具を示す他の斜視図である。
【図３】本発明の実施形態に係る照明器具が天井に取り付けられた状態を示す図である。
【図４】本発明の実施形態に係る照明器具を示す部分断面図である。
【図５】本発明の実施形態に係る照明器具の一部を拡大して示す図である。
【図６】本発明の実施形態に係る灯具本体が引き出された状態を示す図である。
【発明を実施するための形態】
【００１３】
以下、図面を参照して本発明の実施形態を説明する。但し、図中、同一又は相当部分については同一の参照符号を付して説明を繰り返さない。
【００１４】
まず図１及び図２を参照して、本実施形態に係る照明器具１の構成を説明する。図１は照明器具１を示す斜視図であり、図２は照明器具１を示す他の斜視図である。詳しくは、図２は、図１とは異なる方向から見た照明器具１を示す。本実施形態に係る照明器具１は、天井に取り付けられて使用される。なお、以下の説明において、「上」及び「下」は、照明器具１が天井に取り付けられた状態であるときの「上」及び「下」に対応する。
【００１５】
図１に示すように、照明器具１は、灯具本体２を備える。本実施形態に係る照明器具１は、灯具本体２を天井から完全に引き出すことができるように構成されている。図１及び図２は、灯具本体２が上限位置（第１位置の一例）に位置している状態を示している。換言すると、図１及び図２は、灯具本体２が引き出されていない状態を示している。
【００１６】
照明器具１は、灯具本体２に加えて、枠体３と、支持部４と、天板５と、スライダ６と、案内支柱７（案内部の一例）と、取り付けバネ８とを備える。枠体３は、環状又は略環状の枠部３１と、鍔部３２とを有する。なお、「略環状」とは、周方向において枠部３１が一部途切れていることを示す。
【００１７】
鍔部３２は、外方へ突出するように枠部３１の下縁部に形成される。枠体３は、枠部３１及び鍔部３２の内側に、灯具本体２及び支持部４が通過可能な開口３３を有する。また、本実施形態では、灯具本体２が天井から完全に引き出されると、天板５が枠体３の開口３３内に配置される。したがって、枠体３の開口３３の直径は、天板５を枠体３の開口３３内に配置できるように、天板５の直径と略同一であるか、又は、天板５の直径よりも若干大きい。好適には、天板５を枠体３に接触させることなく、枠体３の開口３３内に天板５をスムーズに出し入れできるようにするために、枠体３の開口３３の直径を天板５の直径よりも大きくする。また、室内から枠体３を介して天井裏が目視されないように、又は目視し難いように、枠体３の開口３３の直径を天板５の直径よりも僅かに大きくして、枠体３と天板５との隙間を最小限に抑えることが更に好ましい。枠体３の開口３３の直径と天板５の直径とを同一にする場合には、枠体３の開口３３内に天板５をスムーズに出し入れできるようにするために、枠体３のうち天板５と接触する箇所に潤滑剤を塗布するか、又は、天板５のうち枠体３と接触する箇所に潤滑剤を塗布することが好ましい。又は、枠体３のうちの天板５と接触する箇所、及び、天板５のうちの枠体３と接触する箇所に潤滑剤を塗布してもよい。あるいは、枠体３の開口３３内に天板５をスムーズに出し入れできるようにするために、枠体３及び天板５の少なくともいずれか一方を弾力性又は可撓性を有する材料で形成してもよい。
【００１８】
支持部４は灯具本体２を支持する。天板５は、灯具本体２の上方に配置されるとともに、支持部４を旋回可能に懸架支持する。本実施形態では、天板５の直径は、灯具本体２の最大直径と略同一であるか、又は、灯具本体２の最大直径よりも若干大きい。
【００１９】
図２に示すように、スライダ６は、天板５の縁部から上方へ突出するとともに、案内支柱７に連結されている。なお、スライダ６は、天板５と一体成形されてもよいし、天板５に固定されてもよい。
【００２０】
案内支柱７は、スライダ６を上下方向に案内する。スライダ６が案内されることにより、灯具本体２及び天板５が上下方向に案内される。本実施形態では、案内支柱７は、枠体３の開口３３を通過するように灯具本体２を案内するとともに、枠体３の開口３３へ向けて天板５を案内する。
【００２１】
詳しくは、案内支柱７は、その下端部が第１ビス７２によって枠体３の枠部３１に固定されており、枠体３から上方へ立ち上がっている。また、案内支柱７には長穴７１が形成されている。長穴７１は、上下方向に延在する長軸を有している。長穴７１には、案内支柱７の外側から第２ビス７３の軸が挿入される。第２ビス７３の軸は、案内支柱７の内側に位置するスライダ６に固定される。これにより、第２ビス７３の鍔部とスライダ６との間に案内支柱７が挟まれて、スライダ６が案内支柱７に連結される。また、第２ビス７３の鍔部と案内支柱７との間、及び、スライダ６と案内支柱７との間に発生する摩擦力以上の力で作業者が灯具本体２を上下方向に移動（昇降）させる場合にのみ、灯具本体２や天板５等の移動が可能となるように、第２ビス７３による締め付け力が調整されている。即ち、灯具本体２及び天板５が上下方向の移動可能範囲内におけるどの位置に配置されていても、灯具本体２及び天板５が自重で落下しないように、第２ビス７３によってスライダ６が案内支柱７に保持されている。
【００２２】
なお、本実施形態では、照明器具１が２本の案内支柱７を備える形態を説明するが、案内支柱７の本数は特に限定されるものではない。好適には、案内支柱７の本数は、灯具本体２及び天板５を安定して案内できるように、２本以上である。
【００２３】
取り付けバネ８は、その基端部が第３ビス８１によって枠体３の枠部３１に固定されている。本実施形態では、２個の取り付けバネ８が使用される。２個の取り付けバネ８は、好ましくは等間隔に配置される。これにより、枠体３を安定した姿勢で天井に取り付けることができる。なお、取り付けバネ８の個数は複数個であれば特に限定されるものではない。また、取り付けバネ８を配置する位置も特に限定されるものではなく、複数個の取り付けバネ８の間隔は、等間隔でなくてもよい。
【００２４】
続いて図３を参照して、照明器具１を天井１００に取り付ける方法について説明する。図３は、照明器具１が天井１００に取り付けられた状態を示す図である。天井１００には、照明器具１を取り付けるための開口１０１が形成されている。開口１０１の直径は、枠部３１の直径よりも大きく、鍔部３２の直径よりも小さい。作業者は、取り付けバネ８の先端側が灯具本体２の側面に近づくように取り付けバネ８を弾性変形させた状態で、枠体３の鍔部３２が天井１００に当接するまで、天井１００の開口１０１に照明器具１を挿入する。これにより、取り付けバネ８がその弾性力によって拡がり、枠体３の鍔部３２と取り付けバネ８との間に天井１００が挟まれて、枠体３（照明器具１）が天井１００に固定される。このように、取り付けバネ８の弾性力によって、照明器具１が天井１００に取り付けられる（係止される）。
【００２５】
続いて図４を参照して、照明器具１の構成について説明する。図４は、照明器具１を示す部分断面図である。詳しくは、図４は、灯具本体２が上限位置に位置している状態を示している。また、図４は、灯具本体２が下限位置（第２位置の一例）に位置しているときの灯具本体２や天板５、スライダ６等を二点鎖線で示している。灯具本体２は、天井から完全に引き出されたときに、下限位置に位置する。換言すると、灯具本体２は、案内支柱７によって上限位置から下限位置まで案内されることにより、枠体３の開口３３（図１及び図２を参照）を通過して、天井から完全に引き出される。
【００２６】
図４に示すように、灯具本体２は、発光素子アレイ２１（光源の一例）と、レンズ２２と、ヒートシンク２３とを有する。発光素子アレイ２１及びレンズ２２は、灯具本体２の下部に設けられ、ヒートシンク２３は灯具本体２の上部に形成される。
【００２７】
発光素子アレイ２１は、複数の発光素子を含む。本実施形態では、発光素子アレイ２１はＬＥＤ（Ｌｉｇｈｔ  Ｅｍｉｔｔｉｎｇ  Ｄｉｏｄｅ）アレイである。換言すると、発光素子アレイ２１は複数のＬＥＤを含む。発光素子アレイ２１は、例えば、複数のＬＥＤを蛍光体で封止することにより形成されるＣＯＢ（Ｃｈｉｐ  ｏｎ  Ｂｏａｒｄ）であり得る。あるいは、発光素子アレイ２１は、複数のＬＥＤチップを基板の実装面に載置して基板の導電パターンに電気的に接続するＳＭＤ（Ｓｕｒｆａｃｅ  Ｍｏｕｎｔ  Ｄｅｖｉｃｅ）であり得る。ＬＥＤチップは、ＬＥＤと蛍光体とを１ユニット化することにより形成される。
【００２８】
レンズ２２は、発光素子アレイ２１の光出射面を覆うように配置される。発光素子アレイ２１から出射した光は、レンズ２２を通過して、灯具本体２の外部へ向けて照射される。なお、レンズ２２は必須ではなく、レンズ２２に代えてカバー部材が設けられてもよい。
【００２９】
ヒートシンク２３は、複数の放熱フィン２４を有する。ヒートシンク２３は、発光素子アレイ２１の上方に設けられて、主に発光素子アレイ２１から発生する熱を複数の放熱フィン２４によって放熱する。これにより、発光素子アレイ２１の温度上昇を抑制することができる。
【００３０】
支持部４は、一対の支持アーム４１、４２と、連結アーム４３とを有する。一対の支持アーム４１、４２は灯具本体２を挟んで互いに対向し、連結アーム４３は一対の支持アーム４１、４２を連結する。本実施形態では、一対の支持アーム４１、４２の基端部同士が連結アーム４３を介して一体的に連結される。また、連結アーム４３は、天板５によって旋回可能に支持される。詳しくは、連結アーム４３は、第１軸Ａ１を中心に旋回可能に支持される。これにより、第１軸Ａ１を中心として灯具本体２を旋回させることが可能となる。なお、第１軸Ａ１は、発光素子アレイ２１の光出射面が鉛直下向きの姿勢である場合に灯具本体２から出射される光の軸と平行である。
【００３１】
一対の支持アーム４１、４２は、灯具本体２を回動可能に支持する。本実施形態では、各支持アーム４１、４２の先端部が第４ビス４４によって灯具本体２に連結されている。これにより、第４ビス４４の軸心である第２軸Ａ２を中心として灯具本体２を傾動（回動）させることが可能となる。
【００３２】
灯具本体２は、灯具本体２と第４ビス４４との間の摩擦力以上の力が灯具本体２に加えられた場合にのみ灯具本体２の傾動が可能となるように構成されている。灯具本体２と第４ビス４４との間の摩擦力は、灯具本体２が第４ビス４４を締め付ける力によって発生する。斯かる構成により、灯具本体２の姿勢を維持することができる。なお、第４ビス４４が挿入される灯具本体２の貫通孔に、第４ビス４４を締め付ける力を調整するための部材（例えば、ゴム材）を設けてもよい。
【００３３】
また、本実施形態では、スライダ６にバネ７３ａが設けられる。これにより、第２ビス７３による締め付け力を調節することができる。なお、バネ７３ａは省略されてもよい。
【００３４】
また、本実施形態では、灯具本体２が完全に引き出されて下限位置に位置するとき、天板５は、枠体３の内側（図１及び図２を参照して説明した枠体３の開口３３内）に位置する。好適には、図４において二点鎖線で示すように、天板５は、枠体３の下端、又はその下端に近接する位置まで降下する。また、本実施形態では、天板５の直径は、枠体３の開口３３の直径と略同一であるか、又は、枠体３の開口３３の直径よりも若干小さい。したがって、灯具本体２が完全に引き出されると、天板５が枠体３の開口３３を閉塞するか、又は略閉塞する。なお、「略閉塞」とは、枠体３と天板５との間に僅かな隙間が形成される状態を示す。
【００３５】
図５は、照明器具１の一部を拡大して示す図である。詳しくは、図５は、灯具本体２の下部（枠体３）を拡大して示している。また、図５は、灯具本体２が下限位置に位置しているときの天板５等を二点鎖線で示している。図５に示すように、灯具本体２が下限位置に位置しているとき、天板５が枠体３の下端に近接する位置まで降下している。したがって、本実施形態によれば、枠体３の内壁面と天板５とによって形成される窪みの深さＤ（窪み量）を抑制することができる。
【００３６】
図６は、灯具本体２が引き出された状態を示す図である。詳しくは、図６は、灯具本体２が下限位置まで降下した状態を示している。また、図６は、図４を参照して説明した第２軸Ａ２（第４ビス４４の軸心）を中心に９０度傾動させた灯具本体２を二点鎖線によって示している。
【００３７】
図６に示すように、本実施形態に係る照明器具１は、灯具本体２を完全に引き出すことができる。また、灯具本体２は、下限位置に位置しているときに傾動可能な状態となる。
【００３８】
以上説明した本実施形態によれば、灯具本体２が完全に引き出されて下限位置に位置するとき、天板５が枠体３の開口３３内に位置する。したがって、灯具本体２を引き出した際に露呈する窪みの深さＤ（窪み量）を抑制することができる。
【００３９】
また本実施形態によれば、灯具本体２が下限位置に位置するとき、天板５は、枠体３の下端、又はその下端に近接する位置まで降下する。したがって、窪み量Ｄをより抑制することができ、ひいては、照明器具１と天井との一体感を生み出すことができる。なお、天井に露呈する窪み量Ｄをほぼゼロにして、照明器具１と天井との一体感がより生じるように、天板５は、その下面が枠体３の下面と面一になる位置まで降下することが好ましい。又は、天板５の一部が枠体３の下面から突出して、天板５の下面が枠体３の下面よりも下方に位置するように天板５が降下してもよい。これにより、天井に露呈する窪み量Ｄがゼロとなる。
【００４０】
また、本実施形態によれば、灯具本体２が完全に引き出されて下限位置に位置するとき、天板５が枠体３の開口３３を閉塞するか、又は略閉塞する。したがって、室内から枠体３を介して天井裏が目視されないようにするか、又は目視し難いようにすることができる。なお、天板５が枠体３の開口３３を閉塞するか、又は略閉塞するのは、灯具本体２が下限位置に位置する場合に限定されるものではない。灯具本体２が下限位置よりも上方に位置する場合においても、天板５が枠体３の開口３３内に位置する限り、枠体３の開口３３は閉塞又は略閉塞され得る。例えば、灯具本体２の一部が枠体３の開口３３内に配置されているときに、天板５が枠体３の開口３３内に配置されてもよい。
【００４１】
以上、図面を参照しながら本発明の実施形態について説明した。但し、本発明は、上記の実施形態に限られるものではなく、その要旨を逸脱しない範囲で種々の態様において実施することが可能である。
【００４２】
例えば、本発明の実施形態では、光源がＬＥＤアレイである場合について説明したが、光源はＬＥＤアレイに限定されるものではない。例えば、光源は、１個のＬＥＤによって構成され得る。又は、光源は蛍光灯であってもよいし、白熱電球であってもよい。
【００４３】
また、本発明の実施形態では、傾動及び旋回が可能な照明器具１に本発明を適用した場合について説明したが、本発明は傾動及び旋回のうちの一方が可能な照明器具にも適用することができる。また、本発明は、傾動も旋回もできない照明器具に適用することもできる。
【００４４】
また、本発明の実施形態では、案内支柱７が天板５（スライダ６）を案内することにより、灯具本体２が案内される形態について説明したが、本発明はこれに限定されない。例えば、照明器具は、案内支柱が天板と灯具本体とを個別に案内する構成を有してもよい。あるいは、照明器具は、天板を案内するための案内支柱と、灯具本体を案内するための案内支柱とを別個に備えてもよい。
【産業上の利用可能性】
【００４５】
本発明は、照明器具の分野において適用することができ、特に、埋め込み型の照明器具の分野において有用である。
【符号の説明】
【００４６】
１          照明器具
２          灯具本体
３          枠体
４          支持部
５          天板
６          スライダ
７          案内支柱
８          取り付けバネ
２１        発光素子アレイ
３１        枠部
３２        鍔部
３３        開口
４１、４２  支持アーム
４３        連結アーム
Ｄ          窪みの深さ
【図１】
2016192329.tif 000003
【図２】
2016192329.tif 000004
【図３】
2016192329.tif 000005
【図４】
2016192329.tif 000006
【図５】
2016192329.tif 000007
【図６】
2016192329.tif 000008